(57)【要約】【課題】電波修正時計用補助アンテナ装置において、異なる２つの発信周波数の標準時刻電波に対する受信感度を両方とも向上させる。【解決手段】腕時計２００（電波修正時計）の内蔵アンテナ２３０が標準時刻電波の２つの周波数ｆ１，ｆ２を受信するのを補助する補助アンテナ装置１００は、内蔵アンテナ２３０の受信周波数感度特性の異なる周波数ｆ１，ｆ２における受信感度にそれぞれ影響を与える、周波数ｆ１に対応した第１のアンテナ体４０（共振回路体）と周波数ｆ２に対応した第２のアンテナ体５０（共振回路体）とを備える。【選択図】図２
2007187537.tif 000002
【特許請求の範囲】
【請求項１】
電波修正時計に内蔵された内蔵アンテナの受信周波数感度特性に対して影響を与える共振回路体を備え、前記内蔵アンテナの受信周波数感度特性と前記共振回路体の受信周波数感度特性との合成により、前記内蔵アンテナの受信感度を増大させる電波修正時計用補助アンテナ装置において、
前記共振回路体が複数備えられていることを特徴とする電波修正時計用補助アンテナ装置。
【請求項２】
前記共振回路体のうち少なくとも２つは、前記受信周波数感度特性に対して影響を与える周波数が異なるように設定されていることを特徴とする請求項１に記載の電波修正時計用補助アンテナ装置。
【請求項３】
前記共振回路体のうち少なくとも２つの共振回路体は所定の間隔を保って配置され、
前記電波修正時計を配置して、前記内蔵アンテナと前記少なくとも２つの共振回路体とを所定の位置関係に維持する時計配置部が設けられていることを特徴とする請求項１または２に記載の電波修正時計用補助アンテナ装置。
【請求項４】
前記内蔵アンテナの受信周波数感度特性は、第１の周波数帯域において受信感度が極大となる第１の受信周波数感度特性と、前記第１の周波数帯域とは異なる第２の周波数帯域において受信感度が極大となる第２の受信周波数感度特性とのうち、いずれか一方の受信周波数感度特性となるように切替可能に設定され、または、前記第１の周波数帯域および前記第２の周波数帯域において受信感度がそれぞれ極大となる受信周波数感度特性に設定されており、
前記少なくとも２つの共振回路体のうちいずれか一つの共振回路体の受信周波数感度特性と、前記内蔵アンテナの受信周波数感度特性との合成により、前記時計配置部に配置された前記電波修正時計の前記内蔵アンテナの位置において、該内蔵アンテナの前記第１の周波数帯域および前記第２の周波数帯域のうち一方の周波数帯域における受信感度を増大させ、かつ、前記少なくとも２つの共振回路体のうち他のいずれか一つの共振回路体の受信周波数感度特性と、前記内蔵アンテナの受信周波数感度特性との合成により、前記時計配置部に配置された前記電波修正時計の前記内蔵アンテナの位置において、該内蔵アンテナの前記第１の周波数帯域および前記第２の周波数帯域のうち他方の周波数帯域における受信感度を増大させるように、前記少なくとも２つの共振回路体の前記各受信周波数感度特性がそれぞれ設定されていることを特徴とする請求項３に記載の電波修正時計用補助アンテナ装置。
【請求項５】
前記時計配置部は、該時計配置部に配置された前記電波修正時計の前記内蔵アンテナが前記少なくとも２つの共振回路体から略等距離の位置となるように配設されていることを特徴とする請求項３または４に記載の電波修正時計用補助アンテナ装置。
【請求項６】
前記内蔵アンテナの受信周波数感度特性は、前記所定の電波に対応した特定周波数帯域において受信感度が極大となる受信周波数感度特性に設定されており、
前記少なくとも２つの共振回路体のうちいずれか１つの共振回路体の受信周波数感度特性と、前記内蔵アンテナの受信周波数感度特性との合成により、前記時計配置部に配置された前記電波修正時計の前記内蔵アンテナの位置において、該内蔵アンテナの前記特定周波数帯域における受信感度を増大させ、かつ、前記少なくとも２つの共振回路体のうち他のいずれか１つの共振回路体の受信周波数感度特性と、前記内蔵アンテナの受信周波数感度特性との合成により、前記時計配置部に配置された前記電波修正時計の前記内蔵アンテナの位置において、前記特定周波数帯域とは異なる周波数帯域の、前記内蔵アンテナによる前記所定の電波の受信感度を低下させる障害電波に対する感度を低減させるように、前記少なくとも２つの共振回路体の前記各受信周波数感度特性がそれぞれ設定されていることを特徴とする請求項３に記載の電波修正時計用補助アンテナ装置。
【請求項７】
前記時計配置部は、該時計配置部に配置された前記電波修正時計の前記内蔵アンテナが前記障害電波に対する感度を低減させる共振回路体よりも前記所定の電波の受信感度を増大させる共振回路体に近くなるように配設されていることを特徴とする請求項６に記載の電波修正時計用補助アンテナ装置。
【請求項８】
前記時計配置部は、前記内蔵アンテナが前記少なくとも２つの共振回路体の間に位置するように配設されていることを特徴とする請求項３から７のうちいずれか１項に記載の電波修正時計用補助アンテナ装置。
【請求項９】
前記複数の共振回路体の容積が、前記内蔵アンテナの容積に対して大きいことを特徴とする請求項１から８のうちいずれか１項に記載の電波修正時計用補助アンテナ装置。
【請求項１０】
前記複数の共振回路体のＱ値が、前記内蔵アンテナのＱ値に対して大きいことを特徴とする請求項１から９のうちいずれか１項に記載の電波修正時計用補助アンテナ装置。
【請求項１１】
前記複数の共振回路体と、前記時計配置部に配置された前記電波修正時計の内蔵アンテナとが、略平行に配置されるように、前記複数の共振回路体と前記時計配置部とが配設されていることを特徴とする請求項１から１０のうちいずれか１項に記載の電波修正時計用補助アンテナ装置。
【請求項１２】
電波修正時計を内部に収納するとともに、請求項１から１１のうちいずれか１項に記載の電波修正時計用の補助アンテナ装置を備えたことを特徴とする電波修正時計用化粧ケース。
【請求項１３】
前記電波修正時計を保持する時計保持部が、前記補助アンテナ装置の、前記電波修正時計を配置して前記内蔵アンテナと前記少なくとも２つの共振回路体とを所定の位置関係に維持する時計配置部として配設されていることを特徴とする請求項１２に記載の電波修正時計用化粧ケース。
【請求項１４】
前記化粧ケースの一部または全部が透光性を有する部材によって構成されていることを特徴とする請求項１２または１３に記載の電波修正時計用化粧ケース。
【発明の詳細な説明】
【技術分野】
【０００１】
本発明は電波修正時計用補助アンテナ装置および電波修正時計用化粧ケースに関する。
【背景技術】
【０００２】
自動修正時計のうち電波を用いる電波修正時計は、例えば、日本標準時刻を高精度に伝える長波（４０ｋＨｚ，６０ｋＨｚ）の標準時刻電波（ＪＪＹ）を受信し、この受信した標準時刻電波に基づいて、いわゆる帰零動作による時刻修正等を行う機能を有しており、この標準時刻電波を受信するための内蔵アンテナを備えている。
【０００３】
そして、電波修正時計は、ユーザの使用頻度が一般的に少ない深夜などの時間帯に、当該標準時刻電波を自動的に受信し、その受信した時刻に基づいた時刻修正動作を行うように設定されている。
【０００４】
ここで、上述した従来の電波修正時計における内蔵アンテナは、時計の文字板の略中央部または時計ケースの周縁部近傍に配置され、棒状のフェライト等からなるコアと、このコアの外周に巻回されたコイル等とによって構成されている（特許文献１，２，３）。
【０００５】
このような電波修正時計は、標準時刻電波を定期的に受信することによって、指示時刻の正確性を維持している。したがって、標準時刻電波を毎日正しく受信することが必要であるため、電波修正時計は、標準時刻電波に対する受信感度のよいことが求められている。
【０００６】
しかし、ユーザによる当該電波修正時計の使用環境が、標準時刻電波の受信環境として必ずしも適当であるとは限らない。
【０００７】
そこで、標準時刻電波に対する受信感度を安定させ、あるいは受信感度を向上させるために、内蔵アンテナとは別体の補助アンテナ装置が提案されている（特許文献４）。
【０００８】
この補助アンテナ装置は、感度を向上させようとする対象である電波修正時計の内蔵アンテナと共振回路になる共振回路体を備えている。
【０００９】
そして、共振回路体の近傍に内蔵アンテナが配置された状態のとき、内蔵アンテナに共振作用を及ぼして、標準時刻電波に対する受信感度を向上させている。この結果、電波修正時計（例えば、腕等から外された腕時計など）を、この補助アンテナ装置の所定位置にセットしておくことにより、受信感度を向上させることができる。
【００１０】
したがって、感度が向上した状態で、標準時刻電波を受信させ、時刻の修正動作を確実に行わせることができる。
【特許文献１】実開平５−８１７８７号公報（段落番号[０００８]〜[０００９]および図１)
【特許文献２】特開平８−２７１６５９号公報（段落[０００２]、図７および図８）
【特許文献３】国際公開第９５／２７９２８号パンフレット（明細書第７頁第２５行〜同頁第２８行目および図２）
【特許文献４】特許第３５０６６２５号公報（段落[００１８]〜[００４７]および図１〜図９）
【発明の開示】
【発明が解決しようとする課題】
【００１１】
ところで、標準時刻電波は、主として東日本を対象にする東局からは周波数４０ｋＨｚで発信され、主として西日本を対象にする西局からは周波数６０ｋＨｚで発信されている。
【００１２】
このため、その電波修正時計が使用されている地域に応じて、これら発信周波数が異なる２つの標準時刻電波のうちいずれかを受信することになる。
【００１３】
しかし、特に身につけられてユーザとともに移動する腕時計や懐中時計、あるいはペンダントや指輪などの装飾品としての機能も備えた時計では、ユーザの移動に伴って、東日本と西日本とを行き来する事態も想定される。
【００１４】
そこで、そのような使用形態の電波修正時計は、内蔵アンテナが、東日本を対象として発信されている周波数４０ｋＨｚの標準時刻電波と、西日本を対象として発信されている周波数６０ｋＨｚの標準時刻電波とを自動的に切り替えて受信できるように、内部の回路を切り替える制御を行うマイコンが備えられている。
【００１５】
このマイコンの自動切替制御により、使用地域が東日本と西日本との相互間で変わった場合にも、ユーザに特別な手間を煩わせることなく、電波修正時計の機能を発揮させることができる。
【００１６】
しかし、上述した補助アンテナ装置は、電波修正時計のそのような２つの電波（周波数４０ｋＨｚの標準時刻電波、周波数６０ｋＨｚの標準時刻電波）に対応したものではなく、２つの電波のうちいずれか一方の電波に固定的に対応するに過ぎなかった。
【００１７】
したがって、例えば西日本地域で使用されることを前提にして受信周波数感度特性が設定された補助アンテナ装置を、電波修正時計とともに東日本地域に持ち込んでも、当該補助アンテナ装置では、東日本地域で発信されている標準時刻電波に対する受信感度の向上を図ることができなかった。
【００１８】
本発明の目的は、上記課題を解決して、複数の電波に対して内蔵アンテナの受信感度に影響を与えることが可能な電波修正時計用補助アンテナ装置および電波修正時計用化粧ケースを提供することである。
【課題を解決するための手段】
【００１９】
上記目的を達成するため、本発明に係る電波修正時計用補助アンテナ装置は、電波修正時計に内蔵された内蔵アンテナの受信周波数感度特性に対して影響を与える共振回路体を備え、前記内蔵アンテナの受信周波数感度特性と前記共振回路体の受信周波数感度特性との合成により、前記内蔵アンテナの受信感度を増大させる電波修正時計用補助アンテナ装置において、前記共振回路体を複数備えたことを特徴とする。
【００２０】
例えば、電波修正時計に内蔵された内蔵アンテナに設定された受信周波数感度特性が、異なる２つの周波数帯域（例えば、４０ｋＨｚ帯域と６０ｋＨｚ帯域）において受信感度が極大となるように設定されたものであるときは、２つの共振回路体が、各周波数帯域（４０ｋＨｚ、６０ｋＨｚ）の電波（標準時刻電波）に対する受信感度を、それぞれ増大させるため、両方の周波数帯域の電波に対する受信感度を向上させることができる。
【００２１】
なお、電波修正時計による受信対象の電波が、一方の周波数帯域のものから他方の周波数帯域のものに切り替わったときは、その切り替わったことに追従して、少なくとも切り替わった方の周波数帯域について、その受信感度を向上させるものであればよい。
【００２２】
一方、例えば、所定の周波数帯域の電波（標準時刻電波）の受信の際に、この周波数帯域に比較的近い他の周波数帯域（例えば、５５ｋＨｚ帯域）の他の電波（障害電波）が重畳すると、２つの共振回路体が、当該所定の周波数帯域の電波に対する受信感度を増大させ、他の周波数帯域の電波に対する感度を低減させるため、当該所定の周波数帯域の電波に対する受信感度を向上させつつ、他の周波数帯域の電波に対する感度を低減させることができる。
【００２３】
また、上記目的を達成するため本発明に係る電波修正時計用化粧ケースは、電波修正時計を内部に収納するとともに、本発明に係る電波修正時計用補助アンテナ装置を備えたことを特徴とする。
【００２４】
ここで、化粧ケースとは、腕時計などの陳列や販売、あるいは保管等の際に、当該腕時計等が収容される箱体であり、例えば、樹脂製のものや革張り製のもの、金属製のものなどを適用することができる。
【００２５】
このように構成された本発明に係る電波修正時計用化粧ケースによれば、本発明に係る電波修正時計用補助アンテナ装置を備えたことにより、化粧ケースを有効利用するとともに、収容された電波修正時計にもれなく補助アンテナ装置を提供することができる。
【００２６】
すなわち、搬送時における衝撃力の入力防止や落下等による傷つき防止のために、あるいは保管時や展示時における時計の保持のために用いられていた化粧ケースが、電波修正時計用補助アンテナ装置としても機能するため、化粧ケースを有効に利用することができる。
【００２７】
しかも、ユーザが電波修正時計を購入する際には、当該電波修正時計を本発明に係る化粧ケースに入れた状態で購入することになるため、電波修正時計とともに補助アンテナ装置を添付することができ、補助アンテナ装置を別途求めさせるというユーザの手間をなくすことができる。
【発明の効果】
【００２８】
本発明に係る電波修正時計用補助アンテナ装置によれば、複数の共振回路体が、内蔵アンテナの受信周波数感度特性に対して、それぞれ独立して影響を与えることができる。
【００２９】
例えば、電波修正時計に内蔵された内蔵アンテナに設定された受信周波数感度特性が、異なる２つの周波数帯域において受信感度が極大となるように設定されたものであるときは、２つの共振回路体が、各周波数帯域の電波（標準時刻電波）に対する感度をそれぞれ極大にするように、すなわち、両方の周波数帯域の電波に対する受信感度を向上させることができる。
【００３０】
もちろん、２つの周波数帯域のうち一方の周波数帯域の電波に対する受信感度を極大にしつつも、他方の周波数帯域の電波に対する感度を低下させることも可能である。
【００３１】
また、本発明に係る電波修正時計用化粧ケースは、本発明に係る電波修正時計用補助アンテナ装置を備えたことにより、陳列販売用の保管ケース（化粧ケース）と補助アンテナ装置とを兼用することができる。
【００３２】
つまり、本発明に係る電波修正時計用化粧ケースによれば、搬送時における衝撃力の入力防止や落下等による傷つき防止のために、あるいは保管時や展示時における時計の保持のために用いられていた化粧ケースが、電波修正時計用補助アンテナ装置としても機能するため、化粧ケースを有効に利用することができる。
【００３３】
しかも、ユーザが電波修正時計を購入する際には、当該電波修正時計を本発明に係る化粧ケースに入れた状態で購入することになるため、電波修正時計とともに補助アンテナ装置を添付することができ、補助アンテナ装置を別途求めさせるというユーザの手間をなくすことができる。
【００３４】
また、この電波修正時計用化粧ケースの少なくとも一部を透光性部材により形成することで、電波修正時計に対して、化粧ケースに収納したままでも、光を照射することができ、例えば、太陽光発電方式の電波修正時計用のものであれば、化粧ケースに収納した状態で充電しつつ、標準時刻電波を受信させることもできる。
【発明を実施するための最良の形態】
【００３５】
以下、本発明に係る電波修正時計用補助アンテナ装置の実施形態について説明する。
（実施例１）
図１は、本発明の第１実施例である電波修正時計用補助アンテナ装置１００を示す分解斜視図、図２は、図１に示した補助アンテナ装置１００の等価電気回路を示す図、図３（ａ）は補助アンテナ装置１００に電波修正時計の腕時計２００を配置した状態を示す斜視図、図３（ｂ）は図３（ａ）におけるＡ−Ａ線に沿った要部断面を示す断面図である。
【００３６】
図示の補助アンテナ装置１００は、腕時計２００の指示時刻を修正するために送信されている標準時刻電波を受信する、当該腕時計２００の本体２１０内部に設けられた内蔵アンテナ２３０（図２，３参照）の受信感度を向上させるための装置である。
【００３７】
ここで、標準時刻電波は、東日本地域では第１の周波数ｆ１（例えば、４０ｋＨｚ）、西日本地域では第２の周波数ｆ２（例えば、６０ｋＨｚ）で送信されている。
【００３８】
内蔵アンテナ２３０は、これら第１の周波数ｆ１と第２の周波数ｆ２とにおいて、受信感度が極大となる受信周波数感度特性を有している。ただし、この２つの周波数ｆ１，ｆ２の各電波に対して同時に感度が極大となるのではない。
【００３９】
すなわち、第１の周波数ｆ１の電波を受信しているときは、第１の周波数ｆ１の電波に対する受信感度が極大となるように、第２の周波数ｆ２の電波を受信しているときは、第２の周波数ｆ２の電波に対する受信感度が極大となるように、図示しないマイコンによって制御して、受信周波数感度特性を切り替えている。
【００４０】
そして、本実施例１の補助アンテナ装置１００は、図１および図２に示すように、ケース３０の内部に、腕時計２００の内蔵アンテナ２３０の受信周波数感度特性にそれぞれ影響を及ぼす第１のアンテナ体４０（共振回路体）および第２のアンテナ体５０（共振回路体）を備えている。
【００４１】
第１のアンテナ体４０と第２のアンテナ体５０とは、受信周波数感度特性が異なる特性を有しており、これら両アンテナ体４０，５０の受信周波数感度特性を合成した受信周波数感度特性が、第１の周波数ｆ１および第２の周波数ｆ２における受信感度が極大となるように設定されている。
【００４２】
第１のアンテナ体４０は、棒状のコア４１と、コア４１の外周に巻回されたコイル４２と、コイル４２に接続されたキャパシタ（コンデンサ）４３とにより形成されている。同様に、第２のアンテナ体５０も、棒状のコア５１と、コア５１の外周に巻回されたコイル５２と、コイル５２に接続されたキャパシタ（コンデンサ）５３とにより形成されている。
【００４３】
そして、アンテナ体４０，５０は、図１及び図３（ｂ）に示すように、それらのコア４１，５１が、ケース３０の下部側である底ケース２０に、所定の距離Ｌ０（中心間距離、間隔）だけ離間して、略平行に保持されている。
【００４４】
一方、ケース３０の上部側であるカバーケース１０には、腕時計２００の本体２１０とバンド２２０とを載置するときにこれらの載置位置をガイドする凹溝１５（時計配置部）が形成されている。カバーケース１０と底ケース２０とは、これらの周壁端部同士が嵌合し、図示しないネジ等で締結されて、一体化している。
【００４５】
なお、凹溝１５は、第１のアンテナ体４０および第２のアンテナ体５０と、腕時計２１０の内蔵アンテナ２３０とを所定の位置関係に維持する手段（部分）であり、図示するように、腕時計２００を載置する手段（部分）として、カバーケース１０に配設されている。
【００４６】
しかし、補助アンテナ装置１００と腕時計２００とは、図３に示すように、腕時計２００を凹溝１５に載置する形態に限定されるものではない。
【００４７】
すなわち、机上等に置かれた腕時計２００の上方側から補助アンテナ装置１００を覆い被せるようにしてもよい。このとき、補助アンテナ装置１００は、腕時計２００と接触していてもよいし、接触していなくてもよい。
【００４８】
腕時計２００と補助アンテナ装置１００とは、これら両者が接触状態であるか非接触状態であるかに拘わらず、磁気的結合を確保することができるため、内蔵アンテナ２３０の受信感度を高めることができる。
【００４９】
そして、内蔵アンテナ２３０と、第１のアンテナ体４０および第２のアンテナ体５０との間で磁気的結合が確保されている状態においては、腕時計２００を覆い被せる形態の補助アンテナ装置１００であっても、腕時計２００が接触する領域や腕時計２００が占める空間が時計配置部となる。このとき、内蔵アンテナ２３０とアンテナ体４０，５０とが非平行状態に配置されていても、受信感度は補助アンテナ装置１００を使用しない場合よりも高くなる。
【００５０】
第１のアンテナ体４０のコア４１は、フェライト材料により略円柱状の棒状体として形成されており、周面には対向する２つの平坦面を有している。棒状体の長さは約８０ｍｍ程度で、その直径は約１０ｍｍ程度に設定されている。
【００５１】
第１のアンテナ体４０は、コア４１の断面積及び長さの寸法が大きくなるにしたがって、コイル４２への誘導起電力が大きくなるため、腕時計２００の内蔵アンテナ２３０に対して、容積が充分に大きくなるように設定されている。第２のアンテナ体５０のコア５１も、コア４１と同様に、内蔵アンテナ２３０に対して容積が充分に大きくなるように形成されている。
【００５２】
なお、各コア４１，５１の形状としては、上述した略円柱形状に限定されるものではなく、完全な円柱形状や、楕円柱形状、四角柱形状等の多角柱形状であってもよい。
【００５３】
コイル４２に接続されたキャパシタ４３は、標準時刻電波の第１の周波数ｆ１において共振作用が得られるように、コア４１の軸線方向の所定位置においてコア４１の外周表面に固着されている。
【００５４】
同様に、コイル５２に接続されたキャパシタ５３は、標準時刻電波の第２の周波数ｆ２において共振作用が得られるように、コア５１の軸線方向の所定位置においてコア５１の外周表面に固着されている。上記アンテナ体４０，５０の電気的特性の等価電気回路は図２に示す通りである。
【００５５】
ケース３０は、標準時刻電波の受信感度を低下させないように、そして、両アンテナ体４０，５０と腕時計２００の内蔵アンテナ２３０との磁気的結合を低下させないように、例えば樹脂材料等の非金属材料等により形成されている。
【００５６】
底ケース２０には、図示を略した略矩形平板状の基部と、この基部に対して一体的に形成された一対の支持部と、カバーケース１０を取り付ける際に用いる係止リブとが形成されている。
【００５７】
一対の支持部には、アンテナ体４０，５０の凸部と嵌合する凹部がそれぞれ形成されている。すなわち、この一対の支持部にアンテナ体４０，５０の両端を嵌合させることによって、アンテナ体４０，５０は底ケース２０の所定位置に保持される。
【００５８】
腕時計２００に内蔵された内蔵アンテナ２３０は、その長手方向が時計文字板の「１２時」と「６時」とを結ぶ直線と平行に、かつ「９時」に近い側に配置されている。
【００５９】
そして、図３（ａ）に示すように、カバーケース１０に形成された凹溝１５に、時計文字板の９時側を下向きにして、腕時計２００の本体２１０およびバンド２２０を載置すると、本体２１０が凹溝１５の略中央部に配置される。このとき、本体２１０内部の内蔵アンテナ２３０は、その長手方向が、補助アンテナ装置１００の各アンテナ体４０，５０と略平行に配置される。
【００６０】
さらに、このとき、図３（ｂ）に示すように、内蔵アンテナ２３０は、両アンテナ体４０，５０の間に配置される。しかも、内蔵アンテナ２３０は、２つのアンテナ体４０，５０から略等距離（Ｌ１≒Ｌ２）の位置、すなわち２つのアンテナ体４０，５０間の距離Ｌ０の略１／２の位置に配置されている。
【００６１】
なお、腕時計２００は、バンド２２０だけでなく、内蔵アンテナ２３０を覆う本体２１０も含めて、金属製であってもよい。
【００６２】
次に、本実施例の補助アンテナ装置１００の作用について説明する。
【００６３】
図３（ａ）に示すように、カバーケース１０に形成された凹溝１５に、腕時計２００の本体２１０およびバンド２２０が載置された状態では、本体２１０が凹溝１５の略中央部に配置され、内蔵アンテナ２３０のコアの軸線方向と、補助アンテナ装置１００の各アンテナ体４０，５０のコア４１，５１の軸線方向とが、略平行となる。
【００６４】
この状態で、腕時計２００が第１の周波数ｆ１の標準時刻電波を受信している場合、補助アンテナ装置１００の、第１の周波数ｆ１の標準時刻電波に対して極大となる受信周波数感度特性を有する第１のアンテナ体４０と、腕時計２００の内蔵アンテナ２３０とは、図４に示すように、共振周波数が一致するため、効率良く磁気的結合を生じることになる。
【００６５】
したがって、この磁気的結合により、内蔵アンテナ２３０には、補助アンテナ装置１００を使用しない場合より大きな誘導起電力が生じ、腕時計２００は、第１の周波数ｆ１の標準時刻電波に対する受信感度が高められる。
【００６６】
ここで、腕時計２００の内蔵アンテナ２３０と、第２の周波数ｆ２の標準時刻電波に対して極大となる受信周波数感度特性を有する第２のアンテナ体５０とは、共振周波数が異なるため効率の良い磁気的結合は生じない。
【００６７】
一方、腕時計２００が第２の周波数ｆ２の標準時刻電波の受信を選択している場合、補助アンテナ装置１００における、第２の周波数ｆ２の標準時刻電波に対して極大となる受信周波数感度特性を有する第２のアンテナ体５０と、腕時計２００の内蔵アンテナ２３０とは、図４に示すように、共振周波数が一致するため、効率良く磁気的結合を生じることになる。
【００６８】
したがって、この磁気的結合により、内蔵アンテナ２３０には、補助アンテナ装置１００を使用しない場合より大きな誘導起電力が生じ、腕時計２００は、第２の周波数ｆ２の標準時刻電波に対する受信感度が高められる。
【００６９】
ここで、腕時計２００の内蔵アンテナ２３０と、第１の周波数ｆ１の標準時刻電波に対して極大となる受信周波数感度特性を有する第１のアンテナ体４０とは、共振周波数が異なるため効率の良い磁気的結合は生じない。
【００７０】
さらに、図４に示したグラフを用いて説明すると、特性６１は、補助アンテナ装置１００に載置されていない携帯状態の腕時計２００が、第１の周波数ｆ１の標準時刻電波の受信を選択している場合に、内蔵アンテナ２３０に電界が与えられたときの出力電圧を示す伝達特性である。特性６３は、腕時計２００が補助アンテナ装置１００に載置された状態における内蔵アンテナ２３０の出力電圧を示す伝達特性である。
【００７１】
図４のグラフの特性６３から明らかなように、内蔵アンテナ２３０は、第１のアンテナ体４０と効率良く磁気的結合を生じ、特性６１よりも大きな誘導起電力が第１の周波数ｆ１に生じている。
【００７２】
一方、特性６２は、補助アンテナ装置１００に載置されていない携帯状態の腕時計２００が、第２の周波数ｆ２の標準時刻電波の受信を選択している場合における内蔵アンテナ２３０の、電界が与えられたときの出力電圧を示す伝達特性である。特性６４は、腕時計２００が補助アンテナ装置１００に載置された状態における内蔵アンテナ２３０の出力電圧を示す伝達特性である。
【００７３】
図４のグラフの特性６４から明らかなように、内蔵アンテナ２３０は、第２のアンテナ体５０と効率良く磁気的結合を生じ、特性６２よりも大きな誘導起電力が第２の周波数ｆ２に生じている。
【００７４】
これにより、自動２局受信（第１の周波数ｆ１の標準時刻電波の受信と第２の周波数ｆ２の標準時刻電波の受信）の腕時計２００を、夜間等の、腕から外された未装着状態の定時受信時に、この補助アンテナ装置１００の凹溝１５に載置するだけで、標準時刻電波による時刻の自動修正をより確実に行なわせることができる。
【００７５】
なお、図３（ｂ）に示した距離Ｌ０は、例えば約４０ｍｍであり、距離Ｌ１およびＬ２は、いずれも約２０ｍｍである。
【００７６】
以上のように、本実施例１に係る補助アンテナ装置１００によれば、所定の電波を受信して自動的に時刻の修正を行う腕時計２００（電波修正時計）に内蔵された内蔵アンテナ２３０の受信周波数感度特性に対して影響を与えるアンテナ体４０，５０（共振回路体）を２つ備え、２つのアンテナ体４０，５０は、受信周波数感度特性に対して与える影響の周波数範囲が異なるように設定されている。
【００７７】
したがって、アンテナ体４０，５０が、内蔵アンテナ２３０の受信周波数感度特性に対して異なる周波数範囲にそれぞれ独立して影響を与えることができる。
【００７８】
なお、内蔵アンテナ２３０は、２つのアンテナ体４０，５０の配置面と同一平面上に配置される必要はない。図３（ｂ）において、２つのアンテナ体４０，５０の配置面からカバーケース１０方向の上方向や、底ケース２０方向の下方向にずれた位置に内蔵アンテナ２３０を配置してもよい。
【００７９】
すなわち、内蔵アンテナ２３０は、アンテナ体４０，５０が形成する磁束の影響が実質的に及ぶ範囲内に配置すればよい。
【００８０】
ただし、内蔵アンテナ２３０を２つのアンテナ体４０，５０の配置面と同一平面上に配設した構成は、補助アンテナ装置１００の高さをコンパクトに形成することができるとともに、内蔵アンテナ２３０と各アンテナ体４０，５０との離間距離の測定を容易にすることができる。
【００８１】
また、内蔵アンテナ２３０の受信周波数感度特性は、第１の周波数ｆ１において受信感度が極大となる第１の受信周波数感度特性と、第１の周波数ｆ１とは異なる第２の周波数ｆ２において受信感度が極大となる第２の受信周波数感度特性とのうちいずれか一方の受信周波数感度特性となるように切替可能に設定され、または、第１の周波数ｆ１および第２の周波数ｆ２において受信感度がそれぞれ極大となる受信周波数感度特性に設定されている。
【００８２】
２つのアンテナ体４０，５０の受信周波数感度特性の合成により、凹溝１５に配置された腕時計２００の内蔵アンテナ２３０の位置において、内蔵アンテナ２３０の第１の周波数ｆ１および第２の周波数ｆ２における受信感度をそれぞれ増大させるように、２つのアンテナ体４０，５０の各受信周波数感度特性がそれぞれ設定されている。
【００８３】
このため、２つのアンテナ体４０，５０の、設定された受信周波数感度特性の合成によって、凹溝１５に配置された腕時計２００の内蔵アンテナ２３０の位置において、この内蔵アンテナ２３０の第１の周波数ｆ１および第２の周波数ｆ２における受信感度がそれぞれ向上される。そして、内蔵アンテナ２３０が第１の周波数ｆ１、第２の周波数ｆ２いずれの周波数の標準時刻電波を受けた場合にも、受信感度を向上させることができる。
【００８４】
さらに、凹溝１５は、腕時計２００が配置された状態における内蔵アンテナ２３０が２つのアンテナ体４０，５０から略等距離の位置となるように形成されているため、内蔵アンテナ２３０が各アンテナ体４０，５０から受ける受信周波数感度特性への各影響を、略同等にすることができる。
【００８５】
したがって、第１の周波数ｆ１として、東日本地域を対象として発信されている標準時刻電波の周波数である４０ｋＨｚ、第２の周波数ｆ２として、西日本地域を対象として発信されている標準時刻電波の周波数である６０ｋＨｚ、をそれぞれ適用した補助アンテナ装置１００では、東日本における標準時刻電波の受信感度と西日本における標準時刻電波の受信感度との間で大きな差異は生じない。
【００８６】
また、２つのアンテナ体４０，５０の容積が、内蔵アンテナ２３０の容積に対して大きい。このため、内蔵アンテナ２３０の受信感度よりもアンテナ体４０，５０による受信感度を高めることができ、このアンテナ体４０，５０との共振作用により、内蔵アンテナ２３０の受信感度を大幅に向上させることができる。
【００８７】
なお、アンテナ体４０，５０の容積を内蔵アンテナ２３０の容積に対して大きく設定する代わりに、アンテナ体４０，５０のＱ値を内蔵アンテナ２３０のＱ値に対して大きく設定するようにしてもよい。
【００８８】
この結果、内蔵アンテナ２３０の受信感度よりもアンテナ体４０，５０による受信感度を高めることができ、このアンテナ体４０，５０との共振作用により、内蔵アンテナ２３０の受信感度も大幅に向上させることができる。
【００８９】
さらに、２つのアンテナ体４０，５０と、凹溝１５に配置された腕時計２００の内蔵アンテナ２３０とが、略平行に配置されるように、２つのアンテナ体４０，５０と凹溝１５とが形成されているため、凹溝１５に配置された腕時計２００の内蔵アンテナ２３０が、各アンテナ体４０，５０による影響を最も有効に受けることができる。
（実施例２）
次に、本発明に係る電波修正時計用補助アンテナ装置の第２実施例（実施例２）について、図１、図５および図６を用いて説明する。この実施例２における補助アンテナ装置１００′は、実施例１における補助アンテナ装置１００の構成に対して、第１のアンテナ体４０に代えて、他の第３のアンテナ体８０（共振回路体）が備えられている点で異なる以外は、実施例１の補助アンテナ装置１００と同じ構成である。
【００９０】
すなわち、実施例２の補助アンテナ装置１００′は、図３（ｂ）相当の図５に示すように、ケース３０の内部に、腕時計２００の内蔵アンテナ２３０の受信周波数感度特性にそれぞれ影響を及ぼす第３のアンテナ体８０および第２のアンテナ体５０（共振回路体）を備えている。
【００９１】
ここで、第３のアンテナ体８０は、実施例１の第１のアンテナ体４０の受信周波数感度特性と異なる受信周波数感度特性を有する。実施例１の第１のアンテナ体４０と実施例２の第３のアンテナ体８０とのこの受信周波数感度特性の相違は、第１のアンテナ体４０のキャパシタ４３の容量と第３のアンテナ体８０のキャパシタ８３の容量との差異に基づく。
【００９２】
なお、コア８１はコア４１と、コイル８２はコイル４２と、それぞれ同一である。そして、この第３のアンテナ体８０は、腕時計２００の内蔵アンテナ２３０に対して共振作用を及ぼさない共振回路体である。
【００９３】
図６は、共通の電界を与えられたときの、実施例２の補助アンテナ装置１００′に腕時計２００を載置した状態における内蔵アンテナ２３０の出力電圧の伝達特性と、補助アンテナ装置１００′を用いない状態における内蔵アンテナ２３０の出力電圧の伝達特性とを示すグラフである。
【００９４】
なお、本実施例２の補助アンテナ装置１００′が、受信感度を向上させる対象となる電波修正時計としての腕時計２００は、その内蔵アンテナ２３０が、少なくとも第２の周波数ｆ２（例えば、６０ｋＨｚ；特定周波数帯域）において受信感度が極大となる受信周波数感度特性を有するものであればよい。
【００９５】
もちろん、実施例１と同様に２つの周波数ｆ１（例えば、４０ｋＨｚ），ｆ２においてそれぞれ受信感度が極大となる受信周波数感度特性を有するものであってもよいが、本実施例２の補助アンテナ装置１００′が、直接的に受信感度の絶対値を向上させる効果を発揮するのは、腕時計２００の内蔵アンテナ２３０が、第２の周波数ｆ２の標準時刻電波を受信する場合である。
【００９６】
そして、第３のアンテナ体８０および第２のアンテナ体５０の受信周波数感度特性の合成により、凹溝１５に載置された腕時計２００の内蔵アンテナ２３０の位置において、内蔵アンテナ２３０の周波数ｆ２に対する受信感度を増大させるとともに、この周波数ｆ２とは異なる周波数であって、内蔵アンテナ２３０の感度を相対的に低下させる妨害電波（障害電波）である第４の周波数ｆ４（例えば、５５ｋＨｚ；特定周波数帯域とは異なる周波数帯域）に対する感度を低減させるように、両アンテナ体５０，８０の各受信周波数感度特性がそれぞれ設定されている。
【００９７】
つまり、第２のアンテナ体５０は、標準時刻電波の１つである第２の周波数ｆ２において共振点が得られるように設定され、第３のアンテナ体８０は、第３の周波数ｆ３（例えば、７８ｋＨｚ）において共振点が得られるように設定されている。
【００９８】
このように構成された実施例２の補助アンテナ装置１００′の凹溝１５に腕時計２００が載置された状態で、腕時計２００が第２の周波数ｆ２の標準時刻電波を受信している場合、図６に示すように、補助アンテナ装置１００′の、第２の周波数ｆ２の標準時刻電波に対して極大となる受信周波数感度特性を有する第２のアンテナ体５０と腕時計２００の内蔵アンテナ２３０とは、共振周波数が一致するため効率良く磁気的結合を生じることになる。
【００９９】
したがって、この磁気的結合により、内蔵アンテナ２３０には、補助アンテナ装置１００′を使用しない場合より大きな誘導起電力が生じ、腕時計２００は、第２の周波数ｆ２の標準時刻電波に対する受信感度が高められる。
【０１００】
一方、腕時計２００の内蔵アンテナ２３０と、第３の周波数ｆ３の電波に対して極大となる受信周波数感度特性を有する第３のアンテナ体８０とは、共振周波数が異なるため効率の良い磁気的結合は生じない。
【０１０１】
なお、図６における特性７１は、補助アンテナ装置１００′に載置されていない携帯状態の腕時計２００が第２の周波数ｆ２（６０ｋＨｚ）を選択している場合の内蔵アンテナ２３０の伝達特性である。
【０１０２】
また、特性７２は、腕時計２００が、第２のアンテナ体５０のみを備えて第３のアンテナ体８０を備えない補助アンテナ装置（従来の補助アンテナ装置）に載置された状態における内蔵アンテナ２３０の伝達特性である。この特性７１と特性７２との比較によれば、内蔵アンテナ２３０と第２のアンテナ体５０とが効率良く磁気的結合を生じ、第２の周波数ｆ２において、特性７２は特性７１より大きな誘導起電力を生じている。
【０１０３】
一方、特性７３は、腕時計２００が、第２のアンテナ体５０および第３のアンテナ体８０を備えた本実施例２の補助アンテナ装置１００′に載置された状態における内蔵アンテナ２３０の伝達特性である。
【０１０４】
この特性７１と特性７３とを比較すると、内蔵アンテナ２３０と第２のアンテナ体５０とが効率良く磁気的結合を生じ、第２の周波数ｆ２において、特性７３は特性７１より大きな誘導起電力を生じている。
【０１０５】
一方、特性７２と特性７３との比較では、第２の周波数ｆ２において、特性７２の方が特性７３よりもｇ１（＝１３[ｄＢ]）だけ大きな誘導起電力を生じている。
【０１０６】
しかし、特性７２は、妨害電波の周波数ｆ４においても特性７３よりも大きな誘導起電力を生じており、その起電力の差は、周波数ｆ２における差ｇ１よりも大きい差ｇ２（＝１９[ｄＢ]）となっている。
【０１０７】
つまり、実施例２の補助アンテナ装置１００′を用いた場合の特性７３は、従来の補助アンテナ装置を用いた場合の特性７２よりも、周波数ｆ２で発信されている標準時刻電波に対する受信感度と周波数ｆ４で発信されている妨害電波に対する感度との差を増大させることができる。
【０１０８】
よって、実施例２の補助アンテナ装置１００′は、第４の周波数ｆ４の電波を排除あるいは抑制しようとする場合に、実施例１の補助アンテナ装置１００より有効である。
【０１０９】
このように、妨害電波のような、不要でかつ出力の大きい第４の周波数ｆ４の電波が発信されている状況下において、第２の周波数ｆ２の標準時刻電波を受信しようとするとき、実施例２の補助アンテナ装置１００′の凹溝１５に腕時計２００を載置することにより、妨害電波に対する感度を抑制しつつ、標準時刻電波に対する受信感度を高めることができる。
【０１１０】
したがって、標準時刻電波の受信に基づいた腕時計２００の指示時刻自動修正を、従来よりも確実に行なわせることができる。
【０１１１】
なお、第３の周波数ｆ３は、補助アンテナ装置１００′に載置される腕時計２００の受信感度とは直接的な関係はなく、第３の周波数ｆ３における誘導起電力は小さくてもよい。
【０１１２】
つまり、内蔵アンテナ２３０と第３のアンテナ体８０との距離（図５におけるＬ３に相当）は、内蔵アンテナ２３０と第２のアンテナ体５０の距離（図５におけるＬ２に相当）より大きくてもよく（Ｌ３＞Ｌ２）、内蔵アンテナ２３０において第４の周波数ｆ４の伝達特性を低下させるものであればよい。
【０１１３】
同様に、第４の周波数ｆ４の伝達特性を低下させる限りにおいて、第３のアンテナ体８０の容積は第２のアンテナ体５０の容積より小さくてもよく、また、第３のアンテナ体８０のＱ値は第２のアンテナ体５０のＱ値より小さくてもよい。
【０１１４】
以上のように、本実施例２に係る補助アンテナ装置１００′によれば、所定の電波を受信して自動的に時刻の修正を行う腕時計２００に内蔵された内蔵アンテナ２３０の受信周波数感度特性に対して影響を与えるアンテナ体８０，５０（共振回路体）を２つ備え、２つのアンテナ体８０，５０は、受信周波数感度特性に対して与える影響の周波数範囲が異なるように設定されている。
【０１１５】
このため、各アンテナ体８０，５０が、内蔵アンテナ２３０の受信周波数感度特性に対して異なる周波数範囲にそれぞれ独立して影響を与えることができる。
【０１１６】
なお、内蔵アンテナ２３０は、２つのアンテナ体８０，５０の配置面と同一平面上に配置される必要はない。
【０１１７】
すなわち、図５において、内蔵アンテナ２３０は２つのアンテナ体８０、５０の配置面から、カバーケース１０側である上方向にずれた位置や、底ケース２０側である下方向にずれた位置に配置されていてもよい。つまり、内蔵アンテナ２３０は、アンテナ体８０，５０が形成する磁束の影響が実質的に及ぶ範囲内に配置すればよい。
【０１１８】
ただし、内蔵アンテナ２３０を、２つのアンテナ体８０，５０の配置面と同一平面上に配置した構成は、補助アンテナ装置１００′の高さをコンパクトに形成することができ、さらに、内蔵アンテナ２３０と各アンテナ体８０，５０との離間距離の測定を容易にすることができる。
【０１１９】
また、内蔵アンテナ２３０の受信周波数感度特性は、第２の周波数ｆ２において受信感度が極大となる受信周波数感度特性に設定されている。
【０１２０】
２つのアンテナ体８０，５０の受信周波数感度特性の合成により、凹溝１５に配置された腕時計２００の内蔵アンテナ２３０の位置において、内蔵アンテナ２３０の第２の周波数ｆ２における受信感度を増大させるとともに、第２の周波数ｆ２とは異なる周波数であって、内蔵アンテナ２３０が第２の周波数ｆ２の標準時刻電波を受信したときの受信感度を相対的に低下させる妨害電波（第４の周波数ｆ４の障害電波）に対する感度を低減させるように、２つのアンテナ体８０，５０の各受信周波数感度特性がそれぞれ設定されている。
【０１２１】
このため、２つのアンテナ体８０，５０の、設定された受信周波数感度特性の合成によって、凹溝１５に配置された腕時計２００の内蔵アンテナ２３０の位置において、この内蔵アンテナ２３０の第２の周波数ｆ２の標準時刻電波に対する受信感度が向上され、一方、内蔵アンテナ２３０の第４の周波数ｆ４の妨害電波に対する感度を低減させることができる。
【０１２２】
さらに、凹溝１５は、腕時計２００が配置された状態における内蔵アンテナ２３０が２つのアンテナ体８０，５０のうち、妨害電波の周波数ｆ４に対する感度を低下させるアンテナ体８０よりも、標準時刻電波の周波数ｆ２に対する受信感度を高めるアンテナ体５０が近くなるように形成されている。
【０１２３】
このため、内蔵アンテナ２３０に対する、周波数ｆ４における妨害電波の感度を低下させる第３のアンテナ体８０による影響よりも、周波数ｆ２における標準時刻電波の受信感度を向上させる第２のアンテナ体５０による影響を、相対的に大きく及ぼすことができ、標準時刻電波に対する受信感度の一層の向上を図ることができる。
【０１２４】
また、２つのアンテナ体８０，５０の容積が、内蔵アンテナ２３０の容積に対して大きいため、内蔵アンテナ２３０の受信感度よりもアンテナ体８０，５０による受信感度を高めることができ、このアンテナ体８０，５０との共振作用により、内蔵アンテナ２３０の受信感度も大幅に向上させることができる。
【０１２５】
なお、アンテナ体８０，５０の容積を内蔵アンテナ２３０の容積に対して大きく設定する代わりに、アンテナ体８０，５０のＱ値を内蔵アンテナ２３０のＱ値に対して大きく設定するようにしてもよい。
【０１２６】
この結果、内蔵アンテナ２３０の受信感度よりもアンテナ体８０，５０による受信感度を高めることができ、このアンテナ体８０，５０との共振作用により、内蔵アンテナ２３０の受信感度も大幅に向上させることができる。
【０１２７】
さらに、２つのアンテナ体８０，５０と、凹溝１５に配置された腕時計２００の内蔵アンテナ２３０とが略平行に配置されるように、２つのアンテナ体８０，５０と凹溝１５とが形成されている。このため、凹溝１５に配置された腕時計２００の内蔵アンテナ２３０が、各アンテナ体８０，５０による影響を最も有効に受けることができる。
（実施例３）
次に、本発明に係る電波修正時計用補助アンテナ装置の第３実施例（実施例３）について、図７を用いて説明する。
【０１２８】
上述した実施例２の補助アンテナ装置１００′は、腕時計２００の内蔵アンテナ２３０、妨害電波に対する感度を低減させる第３のアンテナ体８０と、標準時刻電波２波のうち第２の周波数ｆ２の標準時刻電波に対する受信感度を向上させる第２のアンテナ体５０とを備えた構成であるが、第２のアンテナ体５０に代えて、図７に示すように、標準時刻電波２波のうち第１の周波数ｆ１の標準時刻電波に対する受信感度を向上させる第１のアンテナ体４０を備えた構成としてもよい。
【０１２９】
すなわち、この実施例３である補助アンテナ装置１００′は、図７に示すように、ケース３０の内部に、腕時計２００の内蔵アンテナ２３０の受信周波数感度特性にそれぞれ影響を及ぼす第１のアンテナ体４０および第３のアンテナ体８０を備えており、第１のアンテナ体４０は、実施例１の補助アンテナ装置１００における第１のアンテナ体４０と同じである。
【０１３０】
このように構成された実施例３の補助アンテナ装置１００′の凹溝１５に腕時計２００が載置された状態で、腕時計２００が第１の周波数ｆ１の標準時刻電波を受信している場合、補助アンテナ装置１００′の、第１の周波数ｆ１の標準時刻電波に対して極大となる受信周波数感度特性を有する第１のアンテナ体４０と腕時計２００の内蔵アンテナ２３０とは、共振周波数が一致するため効率良く磁気的結合を生じることになる。
【０１３１】
したがって、この磁気的結合により、内蔵アンテナ２３０には、実施例３の補助アンテナ装置１００′を使用しない場合より大きな誘導起電力が生じ、腕時計２００は、第１の周波数ｆ１の標準時刻電波に対する受信感度が高められる。
【０１３２】
一方、腕時計２００の内蔵アンテナ２３０と、第３の周波数ｆ３の電波に対して極大となる受信周波数感度特性を有する第３のアンテナ体８０とは、共振周波数が異なるため効率の良い磁気的結合は生じない。
【０１３３】
したがって、実施例３の補助アンテナ装置１００′は、第４の周波数ｆ４の電波を排除あるいは抑制しようとする場合に、実施例１の補助アンテナ装置１００より有効である。
【０１３４】
このように、妨害電波のような、不要でかつ出力の大きい第４の周波数ｆ４の電波が発信されている状況下において、第１の周波数ｆ１の標準時刻電波を受信しようとするとき、実施例３の補助アンテナ装置１００′の凹溝１５に腕時計２００を載置することにより、妨害電波に対する感度を抑制しつつ、標準時刻電波に対する受信感度を高めることができる。
【０１３５】
よって、標準時刻電波の受信に基づいた腕時計２００の指示時刻自動修正を、従来よりも確実に行なわせることができる。
【０１３６】
なお、第３の周波数ｆ３は、補助アンテナ装置１００′に載置される腕時計２００の受信感度とは直接的な関係はなく、第３の周波数ｆ３における誘導起電力は小さくてもよい。
【０１３７】
つまり、内蔵アンテナ２３０と第３のアンテナ体８０との距離（図７におけるＬ３に相当）は、内蔵アンテナ２３０と第１のアンテナ体４０の距離（図７におけるＬ１に相当）より大きくてもよく（Ｌ３＞Ｌ１）、内蔵アンテナ２３０における第４の周波数ｆ４の伝達特性を低下させるものであればよい。
【０１３８】
同様に、第４の周波数ｆ４の伝達特性を低下させる限りにおいて、第３のアンテナ体８０の容積は第１のアンテナ体４０の容積より小さくてもよく、また、第３のアンテナ体８０のＱ値は第１のアンテナ体４０のＱ値より小さくてもよい。
【０１３９】
以上のように、本実施例２に係る補助アンテナ装置１００′によれば、所定の電波を受信して自動的に時刻の修正を行う腕時計２００に内蔵された内蔵アンテナ２３０の受信周波数感度特性に対して影響を与えるアンテナ体８０，４０（共振回路体）を２つ備え、２つのアンテナ体８０，４０は、受信周波数感度特性に対して与える影響の周波数範囲が異なるように設定されているため、各アンテナ体８０，４０が、内蔵アンテナ２３０の受信周波数感度特性に対して異なる周波数範囲にそれぞれ独立して影響を与えることができる。
【０１４０】
なお、内蔵アンテナ２３０は、２つのアンテナ体８０，４０の配置面と同一平面上に配置される必要はない。
【０１４１】
すなわち、図７において、内蔵アンテナ２３０は２つのアンテナ体８０、４０の配置面から、カバーケース１０側である上方向にずれた位置や、底ケース２０側である下方向にずれた位置に配置されていてもよい。つまり、内蔵アンテナ２３０は、アンテナ体８０，４０が形成する磁束の影響が実質的に及ぶ範囲内に配置すればよい。
【０１４２】
ただし、内蔵アンテナ２３０を、２つのアンテナ体８０，４０の配置面と同一平面上に配置した構成は、補助アンテナ装置１００′の高さをコンパクトに形成することができ、さらに、内蔵アンテナ２３０と各アンテナ体８０，４０との離間距離の測定を容易にすることができる。
【０１４３】
また、内蔵アンテナ２３０の受信周波数感度特性は、第１の周波数ｆ１において受信感度が極大となる受信周波数感度特性に設定されている。
【０１４４】
２つのアンテナ体８０，４０の受信周波数感度特性の合成により、凹溝１５に配置された腕時計２００の内蔵アンテナ２３０の位置において、内蔵アンテナ２３０の第１の周波数ｆ１における受信感度を増大させるとともに、第１の周波数ｆ１とは異なる周波数であって、内蔵アンテナ２３０が第１の周波数ｆ１の標準時刻電波を受信したときの受信感度を相対的に低下させる妨害電波（第４の周波数ｆ４の障害電波）に対する感度を低減させるように、２つのアンテナ体８０，４０の各受信周波数感度特性がそれぞれ設定されている。
【０１４５】
このため、２つのアンテナ体８０，４０の、設定された受信周波数感度特性の合成によって、凹溝１５に配置された腕時計２００の内蔵アンテナ２３０の位置において、この内蔵アンテナ２３０の第１の周波数ｆ１の標準時刻電波に対する受信感度が向上され、一方、内蔵アンテナ２３０の第４の周波数ｆ４の妨害電波に対する感度を低減させることができる。
【０１４６】
さらに、凹溝１５は、腕時計２００が配置された状態における内蔵アンテナ２３０が２つのアンテナ体８０，４０のうち、妨害電波の周波数ｆ４に対する感度を低下させるアンテナ体８０よりも、標準時刻電波の周波数ｆ１に対する受信感度を高めるアンテナ体４０が近くなるように形成されている。
【０１４７】
このため、内蔵アンテナ２３０に対する、周波数ｆ４における妨害電波の感度を低下させる第３のアンテナ体８０による影響よりも、周波数ｆ１における標準時刻電波の受信感度を向上させる第１のアンテナ体４０による影響を、相対的に大きく及ぼすことができ、標準時刻電波に対する受信感度の一層の向上を図ることができる。
【０１４８】
また、２つのアンテナ体８０，４０の容積が、内蔵アンテナ２３０の容積に対して大きいため、内蔵アンテナ２３０の受信感度よりもアンテナ体８０，４０による受信感度を高めることができ、これらアンテナ体８０，４０との共振作用により、内蔵アンテナ２３０の受信感度も大幅に向上させることができる。
【０１４９】
なお、アンテナ体８０，４０の容積を内蔵アンテナ２３０の容積に対して大きく設定する代わりに、アンテナ体８０，４０のＱ値を内蔵アンテナ２３０のＱ値に対して大きく設定するようにしてもよい。
【０１５０】
この結果、内蔵アンテナ２３０の受信感度よりもアンテナ体８０，４０による受信感度を高めることができ、このアンテナ体８０，４０との共振作用により、内蔵アンテナ２３０の受信感度も大幅に向上させることができる。
【０１５１】
さらに、２つのアンテナ体８０，４０と、凹溝１５に配置された腕時計２００の内蔵アンテナ２３０とが、略平行に配置されるように、２つのアンテナ体８０，４０と凹溝１５とが形成されている。このため、凹溝１５に配置された腕時計２００の内蔵アンテナ２３０が、各アンテナ体８０，４０による影響を最も有効に受けることができる。
（実施例４）
次に、本発明に係る電波修正時計用補助アンテナ装置の第４実施例（実施例４）について図８を用いて説明する。
【０１５２】
図３（ｂ）相当の断面図である図８に示した実施例４に係る補助アンテナ装置１００″は、実施例１の補助アンテナ装置１００と実施例２の補助アンテナ装置１００′とを組み合わせて、２つの周波数ｆ１，ｆ２の標準時刻電波の受信感度を向上させつつ妨害電波に対する感度を低減させて当該両標準時刻電波の受信感度を相対的に一層向上させる補助アンテナ装置である。
【０１５３】
なお、実施例４の補助アンテナ装置１００″は、実施例１の補助アンテナ装置１００に、実施例２の補助アンテナ装置１００′における第３のアンテナ体８０をさらに備えた構成である。
【０１５４】
ここで、図８に示すように、第３のアンテナ体８０は、第１のアンテナ体４０と第２のアンテナ体５０との間であって、内蔵アンテナ２３０との距離Ｌ３が、第１のアンテナ体４０と内蔵アンテナ２３０との距離Ｌ１や、第２のアンテナ体５０と内蔵アンテナ２３０との距離Ｌ２よりも大きくなる位置に配置する。
【０１５５】
また、第３のアンテナ体８０は、その長手方向が第１のアンテナ体４０および第２のアンテナ体５０の各長手方向と略平行となるように、配設されている。
【０１５６】
このように構成された実施例４の補助アンテナ装置１００″によれば、アンテナ体４０，５０，８０が、内蔵アンテナ２３０の受信周波数感度特性に対して異なる周波数範囲にそれぞれ独立して影響を与えることができる。
【０１５７】
また、実施例１の補助アンテナ１００と同様に、２つのアンテナ体４０，５０の設定された受信周波数感度特性の合成によって、凹溝１５に配置された腕時計２００の内蔵アンテナ２３０の位置において、この内蔵アンテナ２３０の第１の周波数ｆ１および第２の周波数ｆ２における受信感度がそれぞれ向上される。そして、内蔵アンテナ２３０が第１の周波数ｆ１、第２の周波数ｆ２いずれの周波数の標準時刻電波を受けた場合にも、受信感度を向上させることができる。
【０１５８】
さらに、凹溝１５は、腕時計２００が配置された状態における内蔵アンテナ２３０が２つのアンテナ体４０，５０から略等距離の位置となるように形成されているため、内蔵アンテナ２３０が各アンテナ体４０，５０から受ける受信周波数感度特性への各影響を、略同等にすることができる。
【０１５９】
したがって、第１の周波数ｆ１として、東日本地域を対象として発信されている標準時刻電波の周波数である４０ｋＨｚ、第２の周波数ｆ２として、西日本地域を対象として発信されている標準時刻電波の周波数である６０ｋＨｚ、をそれぞれ適用した補助アンテナ装置１００″では、東日本における標準時刻電波の受信感度と西日本における標準時刻電波の受信感度との間で大きな差異は生じない。
【０１６０】
一方、妨害電波のような、不要でかつ出力の大きい第４の周波数ｆ４の電波が発信されている状況下において、第１の周波数ｆ１の標準時刻電波または第２の周波数ｆ２の標準時刻電波を受信しようとするとき、妨害電波に対する感度を抑制しつつ、標準時刻電波に対する受信感度を高めることができる。
【０１６１】
したがって、標準時刻電波の受信に基づいた腕時計２００の指示時刻自動修正を、実施例１の補助アンテナ装置１００より確実に行なわせることができる。
【０１６２】
さらに、凹溝１５は、腕時計２００が配置された状態における内蔵アンテナ２３０が３つのアンテナ体４０，５０，８０のうち、妨害電波の周波数ｆ４に対する感度を低下させるアンテナ体８０よりも、他の標準時刻電波の周波数ｆ１，ｆ２に対する受信感度を高めるアンテナ体４０，５０が近くなるように形成されている。
【０１６３】
このため、内蔵アンテナ２３０に対する、周波数ｆ４における妨害電波の感度を低下させる第３のアンテナ体８０による影響よりも、周波数ｆ１，ｆ２における標準時刻電波の受信感度を向上させるアンテナ体４０，５０による影響を、相対的に大きく及ぼすことができ、標準時刻電波に対する受信感度の一層の向上を図ることができる。
【０１６４】
また、３つのアンテナ体４０，５０，８０の容積が、内蔵アンテナ２３０の容積に対して大きいため、内蔵アンテナ２３０の受信感度よりもアンテナ体４０，５０，８０による受信感度を高めることができ、このアンテナ体４０，５０，８０の共振作用により、内蔵アンテナ２３０の受信感度も大幅に向上させることができる。
【０１６５】
なお、アンテナ体４０，５０，８０の容積を内蔵アンテナ２３０の容積に対して大きく設定する代わりに、アンテナ体４０，５０，８０のＱ値を内蔵アンテナ２３０のＱ値に対して大きく設定するようにしてもよい。
【０１６６】
この結果、内蔵アンテナ２３０の受信感度よりもアンテナ体４０，５０，８０による受信感度を高めることができ、このアンテナ体４０，５０，８０との共振作用により、内蔵アンテナ２３０の受信感度も大幅に向上させることができる。
【０１６７】
さらに、３つのアンテナ体４０，５０，８０と、凹溝１５に配置された腕時計２００の内蔵アンテナ２３０とが、略平行に配置されるように、アンテナ体４０，５０，８０と凹溝１５とが形成されている。このため、凹溝１５に配置された腕時計２００の内蔵アンテナ２３０が、各アンテナ体４０，５０，８０による影響を最も有効に受けることができる。
（実施例５）
図９は、本発明の第５実施例（実施例５）である電波修正時計用化粧ケース３００を示す斜視図であり、腕時計２００を内部に収納するとともに、本発明に係る電波修正時計用の上記実施例１の補助アンテナ装置１００から実施例４の補助アンテナ装置１００″のうちいずれかの補助アンテナ装置１００（または１００′，１００″）を備えたものである。
【０１６８】
ここで、化粧ケース３００は、腕時計２００の陳列や販売、あるいは保管等の際に、当該腕時計２００が収容される箱体であり、例えば、樹脂製のものや革張り製のもの、金属製のものなどである。
【０１６９】
本実施例５の化粧ケース３００は、腕時計２００が保持される樹脂製の下ケース３２０と、ヒンジにより開閉自在に下ケース３２０に軸支された、透明樹脂製の蓋ケース３１０とから構成されている。
【０１７０】
蓋ケース３１０を開いた状態を図６（ａ）に、蓋ケース３１０を閉じて腕時計２００を内部に収納した状態を図６（ｂ）に示す。
【０１７１】
ここで、下ケース３２０は、上述した実施例１の補助アンテナ装置１００から実施例４の補助アンテナ装置１００″と同じ構成である。
【０１７２】
このように構成された本実施例５の化粧ケース３００によれば、搬送時における衝撃力の入力防止や落下等による傷つき防止のために、あるいは保管時や展示時における時計の保持のために用いられていた化粧ケース３００が、電波修正時計用補助アンテナ装置１００（または補助アンテナ装置１００′，１００″）としても機能するため、上述した補助アンテナ装置１００（または補助アンテナ装置１００′，１００″）の作用効果により、化粧ケース３００を有効に利用することができる。
【０１７３】
すなわち、この電波修正時計用の化粧ケース３００は、本発明に係る電波修正時計用補助アンテナ装置を備えることにより、陳列販売用の保管ケースと補助アンテナ装置を兼用することができる。
【０１７４】
しかも、ユーザが腕時計２００の買上げ時には、この化粧ケース３００に入れた状態で引き渡すことで、腕時計２００とともに補助アンテナ装置１００（または補助アンテナ装置１００′，１００″）も、忘れずに添付することができる。
【０１７５】
なお、腕時計２００を保持する時計保持部が、補助アンテナ装置１００（または補助アンテナ装置１００′，１００″）の凹溝１５として形成されているため、時計配置部としての凹溝１５を、時計保持部とは異なる位置にわざわざ設ける必要がなく、製造コストを低減するとともに、スペース利用効率を向上させることができる。
【０１７６】
また、蓋ケース３１０は透光性を有する透明樹脂から形成されている。このため、発電手段として太陽電池を備える腕時計２００であれば、化粧ケース３００の時計配置部に腕時計２００を配置すると、蓋ケース３１０を透過した光が太陽電池に照射され光発電を行なうことができる。本実施例５の化粧ケース３００によれば、内蔵アンテナの受信感度を向上させるとともに、光発電が可能となる。
【０１７７】
蓋ケース３１０は、全体が透光性部材で構成されたものでもよいが、腕時計２００への光照射に関与しない部分（例えば背面部分）は、非透光性としてもよい。すなわち、蓋ケース３１０の一部を非透光性としてもよい。
【０１７８】
なお、上述した各実施例１〜４（変形例含む）においては、腕時計２００の内蔵アンテナ２３０が時計文字板の９時位置に配設されたものとして説明したが、腕時計２００の内蔵アンテナ２３０が、時計文字板の１２時位置や６時位置に配設されたものや、時計文字板の１２時と３時との間に配設されたものや時計文字板の３時と６時との間に配設されたものや、時計文字板の６時と９時との間に配設されたものや、あるいは時計文字板の９時と１２時との間に配設されたものに対しても、内蔵アンテナ２３０の受信感度を高めることができる。
【０１７９】
このように、腕時計２００の内蔵アンテナ２３０と各補助アンテナ装置１００，１００′，１００″に備えられたアンテナ体４０，５０，８０とは、略平行の配置形態だけでなく、直交状態に近い非平行な配置状態であっても、補助アンテナ装置１００，１００′，１００″を用いた場合の方が、内蔵アンテナ２３０だけの場合よりも、標準時刻電波に対する受信感度を高めることができる。
【０１８０】
以上、図５、図７および図８を用いて説明した本発明の第２実施例、第３実施例および第４実施例は、内蔵アンテナ２３０と第３のアンテナ体８０との距離を、内蔵アンテナ２３０と第１のアンテナ体４０や第２のアンテナ体５０との距離より大きく設定した構成であるが、内蔵アンテナ２３０と第３のアンテナ体８０との距離を、内蔵アンテナ２３０と第１のアンテナ体４０や第２のアンテナ体５０との距離と略等しく設定した構成としてもよい。
【図面の簡単な説明】
【０１８１】
【図１】本発明の第１実施例に係る電波修正時計用補助アンテナ装置を示す分解斜視図である。
【図２】図１に示した補助アンテナ装置の等価電気回路を示す図である。
【図３】（ａ）は図１に示した補助アンテナ装置に電波修正時計の腕時計を配置した状態を示す斜視図、（ｂ）は（ａ）におけるＡ−Ａ線に沿った要部断面を示す断面図である。
【図４】本発明の第１実施例の補助アンテナ装置の作用を説明する、腕時計の内蔵アンテナの出力電圧を示す伝達特性である。
【図５】本発明の第２実施例の補助アンテナ装置の構成を示す、図３（ｂ）相当の断面図である。
【図６】本発明の第２実施例の補助アンテナ装置の作用を説明する、腕時計の内蔵アンテナの出力電圧を示す伝達特性である。
【図７】本発明の第３実施例の補助アンテナ装置の構成を示す、図３（ｂ）相当の断面図である。
【図８】本発明の第４実施例の補助アンテナ装置の構成を示す、図３（ｂ）相当の断面図である。
【図９】本発明の実施例５に係る電波修正時計用化粧ケースを示す斜視図であり、（ａ）は蓋ケースを開いた状態、（ｂ）は蓋ケースを閉じて腕時計を内部に収納した状態、をそれぞれ示す。
【符号の説明】
【０１８２】
４０    第１のアンテナ体（共振回路体）
５０    第２のアンテナ体（共振回路体）
１００  補助アンテナ装置（電波修正時計用補助アンテナ装置）
２００  腕時計（電波修正時計）
２３０  内蔵アンテナ
ｆ１    第１の周波数（標準時刻電波の一方に対応）
ｆ２    第２の周波数（標準時刻電波の他方に対応）
【図１】
2007187537.tif 000003
【図２】
2007187537.tif 000004
【図３】
2007187537.tif 000005
【図４】
2007187537.tif 000006
【図５】
2007187537.tif 000007
【図６】
2007187537.tif 000008
【図７】
2007187537.tif 000009
【図８】
2007187537.tif 000010
【図９】
2007187537.tif 000011